(57)【特許請求の範囲】
【請求項１】
第１のシートと第２のシートとが中間シートを介して積層されて剥離可能に貼着されてなる情報担持体であって、
前記中間シートは、当該中間シートから分離可能に区画形成された分離部を有し、
前記分離部は、当該分離部に対して前記第１のシートと前記第２のシートとの積層方向に前記第１または前記第２のシートを介して圧力が加わる前と、当該分離部に対して前記第１のシートと前記第２のシートとの積層方向に前記第１または前記第２のシートを介して圧力が加わった後とで、前記第１のシートと前記第２のシートとが剥離した場合に前記第１のシートに保持される保持力と前記第２のシートに保持される保持力との強弱が逆転する保持構造を有し、
前記第１及び前記第２のシートの前記分離部に対向する領域、並びに前記分離部の前記第１または前記第２のシートとの積層面のうち、少なくともいずれか１つに情報が表示されている情報担持体。
【請求項２】
請求項１に記載の情報担持体において、
前記保持構造は、前記分離部に対して前記第１のシートと前記第２のシートとの積層方向に前記第１または前記第２のシートを介して圧力が加わる前と、前記分離部に対して前記第１のシートと前記第２のシートとの積層方向に前記第１または前記第２のシートを介して圧力が加わった後とで、前記分離部と前記第１のシートとの貼着力と、前記分離部と前記第２のシートの貼着力との強弱が逆転する貼着構造である情報担持体。
【請求項３】
請求項１または請求項２に記載の情報担持体において、
前記中間シートは、前記分離部を複数有する情報担持体。
【発明の詳細な説明】
【技術分野】
【０００１】
本発明は、２枚のシートが剥離可能に貼着されてなる構成に情報を持たせた情報担持体に関する。
【背景技術】
【０００２】
従来、一定の圧力が加えられることにより貼着可能となる剥離可能な接着剤が利用されている。このような接着剤は、２枚のはがき紙片が折り部を介して連接した圧着はがきと呼ばれるものや、はがき等のシート上に表示された情報を隠蔽するためにシート上に剥離可能に貼着される隠蔽ラベル等に用いられている（例えば、特許文献１参照）。
【０００３】
このように２枚のシートを剥離可能に貼着する技術を用いることにより、通知する情報の量を増やしたり、通知する情報をその通知先以外の者に知られずに通知先に通知したりすることができるようになる。
【先行技術文献】
【特許文献】
【０００４】
【特許文献１】特開平５−１８５７６８号公報
【発明の概要】
【発明が解決しようとする課題】
【０００５】
上述したように、２枚のシートを剥離可能に貼着する技術は、少なくとも一方に情報が表示された２枚のシートをただ単に剥離可能に貼着することに用いられており、利用者の取り扱いに応じて情報を選択的に視認させるような構成は考えられていない。
【０００６】
例えば、いわゆるスクラッチカードのように、複数のエリアの中から利用者が任意に選択したエリアを削ることによって当たり／はずれを提供するものや、利用者に予め通知されたパスワードや会員番号に応じた情報を提供する構成は考えられていない。また、１つの表示領域において提供する情報を可変とする構成も考えられていない。
【０００７】
本発明は、２枚のシートが剥離可能に貼着されてなる構成に情報を持たせた情報担持体において、利用者の取り扱いに応じて情報を選択的に視認させることができる情報担持体を提供することを目的とする。
【課題を解決するための手段】
【０００８】
上記目的を達成するために本発明は、
第１のシートと第２のシートとが中間シートを介して積層されて剥離可能に貼着されてなる情報担持体であって、
前記中間シートは、当該中間シートから分離可能に区画形成された分離部を有し、
前記分離部は、当該分離部に対して前記第１のシートと前記第２のシートとの積層方向に前記第１または前記第２のシートを介して圧力が加わる前と、当該分離部に対して前記第１のシートと前記第２のシートとの積層方向に前記第１または前記第２のシートを介して圧力が加わった後とで、前記第１のシートと前記第２のシートとが剥離した場合に前記第１のシートに保持される保持力と前記第２のシートに保持される保持力との強弱が逆転する保持構造を有し、
前記第１及び前記第２のシートの前記分離部に対向する領域、並びに前記分離部の前記第１または前記第２のシートとの積層面のうち、少なくともいずれか１つに情報が表示されている。
【０００９】
上記のように構成された本発明においては、保持構造によって、分離部に対して第１のシートと第２のシートとの積層方向に第１または第２のシートを介して圧力が加わる前と、分離部に対して第１のシートと第２のシートとの積層方向に第１または第２のシートを介して圧力が加わった後とで、第１のシートと第２のシートとが剥離した場合に分離部が第１のシートに保持される保持力と分離部が第２のシートに保持される保持力との強弱が逆転する。このような構成においては、例えば、分離部に対して第１のシートと第２のシートとの積層方向に第１または第２のシートを介して圧力が加わる前に第１のシートと第２のシートとが剥離した場合にて分離部が第１のシートに保持される保持力が、分離部が第２のシートに保持される保持力よりも弱い場合、分離部に対して第１のシートと第２のシートとの積層方向に第１または第２のシートを介して圧力が加わる前に第１のシートと第２のシートとが剥離されると、分離部は第２のシートに保持された状態で第１のシートから分離され、それにより、第１のシートと第２のシートとの剥離面において、分離部と第１のシートとの互いに対向する面がそれぞれ表出し、また、分離部に対して第１のシートと第２のシートとの積層方向に第１または第２のシートを介して圧力が加わった後に第１のシートと第２のシートとが剥離されると、分離部が第１のシートに保持される保持力が、分離部が第２のシートに保持される保持力よりも強くなっていることにより、分離部は第１のシートに保持された状態で第２のシートから分離され、それにより、第１のシートと第２のシートとの剥離面において、分離部と第２のシートとの互いに対向する面がそれぞれ表出することになる。この際、第１及び第２のシートの分離部に対向する領域、並びに分離部の第１または第２のシートとの積層面のうち、少なくともいずれか１つに情報が表示されているので、分離部に対して第１のシートと第２のシートとの積層方向に第１または第２のシートを介して圧力が加わる前に第１のシートと第２のシートとが剥離された場合と、分離部に対して第１のシートと第２のシートとの積層方向に第１または第２のシートを介して圧力が加わった後に第１のシートと第２のシートとが剥離された場合とで、第１のシートと第２のシートとの剥離面において、情報を表出させたりさせなかったりすることができたり、あるいは異なる情報を表出させることができたりし、それにより、利用者の取り扱いに応じて複数の情報が選択的に視認可能となる。
【００１０】
この保持構造としては、分離部に対して第１のシートと第２のシートとの積層方向に第１または第２のシートを介して圧力が加わる前と、分離部に対して第１のシートと第２のシートとの積層方向に第１または第２のシートを介して圧力が加わった後とで、分離部と第１のシートとの貼着力と、分離部と第２のシートの貼着力との強弱が逆転する貼着構造を用いることが考えられる。このような構成においては、例えば、分離部に対して第１のシートと第２のシートとの積層方向に第１または第２のシートを介して圧力が加わる前における分離部と第１のシートとの貼着力が分離部と第２のシートとの貼着力よりも小さな場合、分離部に対して第１のシートと第２のシートとの積層方向に第１または第２のシートを介して圧力が加わる前に第１のシートと第２のシートとが剥離されると、分離部は第２のシートに貼着された状態で第１のシートから剥離され、それにより、第１のシートと第２のシートとの剥離面において、分離部と第１のシートとの互いに対向する面がそれぞれ表出し、また、分離部に対して第１のシートと第２のシートとの積層方向に第１または第２のシートを介して圧力が加わった後に第１のシートと第２のシートとが剥離されると、第１のシートとの貼着力が分離部と第２のシートとの貼着力よりも大きくなっていることにより、分離部は第１のシートに貼着された状態で第２のシートから剥離され、それにより、第１のシートと第２のシートとの剥離面において、分離部と第２のシートとの互いに対向する面がそれぞれ表出することになる。これにより、上述したように、分離部に対して第１のシートと第２のシートとの積層方向に第１または第２のシートを介して圧力が加わる前に第１のシートと第２のシートとが剥離された場合と、分離部に対して第１のシートと第２のシートとの積層方向に第１または第２のシートを介して圧力が加わった後に第１のシートと第２のシートとが剥離された場合とで、第１のシートと第２のシートとの剥離面において、情報を表出させたりさせなかったりすることができたり、あるいは異なる情報を表出させることができたりすることができる。
【００１１】
また、中間シートが分離部を複数有する構成においては、複数の分離部のそれぞれに対応して情報を表示することにより、複数の分離部のそれぞれに対して、第１のシートと第２のシートとの積層方向に第１または第２のシートを介して圧力を加える操作を選択的に行った場合に、その操作に応じた情報を視認させることができる。
【発明の効果】
【００１２】
本発明によれば、分離部に対して第１のシートと第２のシートとの積層方向に第１または第２のシートを介して圧力が加わる前に第１のシートと第２のシートとが剥離された場合と、分離部に対して第１のシートと第２のシートとの積層方向に第１または第２のシートを介して圧力が加わった後に第１のシートと第２のシートとが剥離された場合とで、分離部や、第１及び第２のシートの分離部に対向する面のうち表出する面が異なり、それにより、第１のシートと第２のシートとの剥離面において、情報を表出させたりさせなかったりすることができたり、あるいは異なる情報を表出させることができたりすることができ、利用者の取り扱いに応じて情報を選択的に視認させることができる。
【００１３】
また、上記のような作用を、分離部に対して第１のシートと第２のシートとの積層方向に第１または第２のシートを介して圧力が加わる前と、分離部に対して第１のシートと第２のシートとの積層方向に第１または第２のシートを介して圧力が加わった後とで、分離部と第１のシートとの貼着力と、分離部と第２のシートの貼着力との強弱が逆転する貼着構造を用いて実現するものにおいては、第１のシートと第２のシートとが剥離される前の状態においても分離部が第１及び第２のシートのうちの少なくともいずれか一方に貼着されていることとなり、分離部をスリットによって中間シートに分離可能に区画形成したとしても、第１のシートと第２のシートとが剥離される前の状態において分離部が脱落してしまうことを回避できる。
【００１４】
また、中間シートが分離部を複数有するものにおいては、複数の分離部のそれぞれに対応して情報を表示することにより、複数の分離部のそれぞれに対して、第１のシートと第２のシートとの積層方向に第１または第２のシートを介して圧力を加える操作を選択的に行った場合に、その操作に応じた情報を視認させることができる。
【図面の簡単な説明】
【００１５】
【図１】本発明の情報担持体の第１の実施の形態を示す図であり、（ａ）は表面図、（ｂ）は（ａ）に示したＡ−Ａ’断面図、（ｃ）は中基材の表面の構成を示す図、（ｄ）は下基材の表面の構成を示す図である。
【図２】図１に示した情報カードの積層状態を示す斜視図である。
【図３】図１及び図２に示した情報カードの利用方法を説明するための図である。
【図４】図１及び図２に示した情報カードにおいて上基材と下基材とが剥離された状態を示す図である。
【図５】本発明の情報担持体の第２の実施の形態を示す図であり、（ａ）は表面図、（ｂ）は（ａ）に示したＡ−Ａ’断面図、（ｃ）は中基材の表面の構成を示す図、（ｄ）は下基材の表面の構成を示す図である。
【図６】図５に示した情報カードにおいて上基材と下基材とが剥離された状態を示す図である。
【図７】本発明の情報担持体の第３の実施の形態を示す図であり、（ａ）は表面図、（ｂ）は（ａ）に示したＡ−Ａ’断面図、（ｃ）は中基材の表面の構成を示す図、（ｄ）は下基材の表面の構成を示す図である。
【図８】本発明の情報担持体の第４の実施の形態を示す図であり、（ａ）は表面図、（ｂ）は（ａ）に示したＡ−Ａ’断面図、（ｃ）は中基材の表面の構成を示す図、（ｄ）は下基材の表面の構成を示す図である。
【図９】本発明の情報担持体の第５の実施の形態を示す図であり、（ａ）は表面図、（ｂ）は（ａ）に示したＡ−Ａ’断面図、（ｃ）は中基材の表面の構成を示す図、（ｄ）は下基材の表面の構成を示す図である。
【図１０】本発明の情報担持体の第６の実施の形態を示す図であり、（ａ）は表面図、（ｂ）は（ａ）に示したＡ−Ａ’断面図、（ｃ）は中基材の表面の構成を示す図、（ｄ）は下基材の表面の構成を示す図である。
【図１１】図１０に示した情報カードにおける上基材と下基材との剥離時の状態を説明するための図である。
【図１２】本発明の情報担持体の第７の実施の形態を示す図であり、（ａ）は表面図、（ｂ）は（ａ）に示したＡ−Ａ’断面図、（ｃ）は上基材の裏面の構成を示す図、（ｄ）は中基材の裏面の構成を示す図である。
【図１３】図１２に示した情報カードにおける上基材と下基材との剥離時の状態を説明するための図である。
【発明を実施するための形態】
【００１６】
以下に、本発明の実施の形態について図面を参照して説明する。
【００１７】
（第１の実施の形態）
図１は、本発明の情報担持体の第１の実施の形態を示す図であり、（ａ）は表面図、（ｂ）は（ａ）に示したＡ−Ａ’断面図、（ｃ）は中基材３０の表面の構成を示す図、（ｄ）は下基材２０の表面の構成を示す図である。図２は、図１に示した情報カード１の積層状態を示す斜視図である。
【００１８】
本形態における情報担持体は図１に示すように、第１のシートとなる上基材１１と、第２のシートとなる下基材２０とが、中間シートとなる中基材３０を介して積層され、剥離可能に貼着された情報カード１である。
【００１９】
中基材３０には、分離部となる９つの分離領域３１ａ〜３１ｉがマトリックス状に設けられている。これら分離領域３１ａ〜３１ｉは、それぞれスリット３３ａ〜３３ｉによって中基材３０から分離可能に区画形成されており、上基材１０との積層面にはそれぞれ情報３２ａ〜３２ｉが表示されている。また、上基材１０との積層面には、その全面に接着剤４１ｂが塗工されている。
【００２０】
上基材１０は、分離領域３１ａ〜３１ｉのそれぞれに対向するように９つの上基材個別領域１１ａ〜１１ｉが設けられている。この上基材個別領域１１ａ〜１１ｉには、互いに異なる数字“１”〜“９”の数字が表示されている。また、中基材３０との積層面には、その全面に接着剤４１ａが塗工されている。
【００２１】
このように構成された中基材３０と上基材１０とは、接着剤４１ａ，４１ｂによって剥離可能に貼着されている。接着剤４１ａ，４１ｂは、同一の材料からなるものであって、通常では他物質との接着性を有さず、互いの接着面を重ね合わせて、手で押圧する程度で貼着する弱感圧性の自己接着機能を有する自着糊からなるものである。例えば三井物産ソルベント・コーティング株式会社製の商品名フルタイトＡＦ−０５である接着剤を用いることができる。この情報カード１が利用者によって利用される前の状態においては、中基材３０と上基材１０とは、分離領域３１ａ〜３１ｉと上基材個別領域１１ａ〜１１ｉとが貼着されておらず、その他の領域が接着剤４１ａ，４１ｂによって互いに貼着されている。
【００２２】
下基材２０は、分離領域３１ａ〜３１ｉのそれぞれに対向するように９つの下基材個別領域２１ａ〜２１ｉが設けられている。この上基材個別領域２１ａ〜２１ｉの中基材３０との積層面には、それぞれ情報２２ａ〜２２ｉが表示されている。また、中基材３０との積層面には、その全面に粘着剤４２が塗工されているが、下基材個別領域２１ａ〜２１ｉにおいては、点糊状に塗工されている。なお、点糊状ではなく、ライン状に塗工されていてもよい。
【００２３】
このように構成された下基材２０は、粘着剤４２によって中基材３０と貼着されているが、下基材個別領域２１ａ〜２１ｉにおいては、粘着剤４２が点糊状に塗工されていることにより、中基材３０と剥離可能に貼着されている。
【００２４】
以下に、上記のように構成された情報カード１の利用方法について説明する。
【００２５】
上記のように構成された情報カード１は、この情報カード１の利用者が、上基材個別領域１１ａ〜１１ｉのうち所望の領域を擦ることで、中基材３０の分離領域３１ａ〜３１ｉに対して上基材１０と下基材２０との積層方向に上基材１０を介して圧力を加えた後、上基材１０と下基材２０とを剥離して利用する。
【００２６】
図３は、図１及び図２に示した情報カード１の利用方法を説明するための図であり、上基材個別領域１１ｄ〜１１ｆのうち上基材個別領域１１ｄ，１１ｆが擦られた後に上基材１０と下基材２０とが剥離されていく状態を示す断面図である。
【００２７】
上述したように、図１及び図２に示した情報カード１は、この情報カード１が利用者によって利用される前の状態においては、中基材３０と上基材１０とは、分離領域３１ａ〜３１ｉと上基材個別領域１１ａ〜１１ｉとが貼着されていない（図３（ａ））。一方、分離領域３１ａ〜３１ｉと下基材個別領域２１ａ〜２１ｉとは、下基材２０に粘着剤４２が点糊状に塗工されていることにより剥離可能に貼着されている。それにより、この情報カード１が利用者によって利用される前、すなわち、中基材３０の分離領域３１ａ〜３１ｉに対して上基材１０と下基材２０との積層方向に上基材１０を介して圧力が加えられる前の状態においては、分離領域３１ａ〜３１ｉと上基材個別領域１１ａ〜１１ｉとの貼着力が、分離領域３１ａ〜３１ｉと下基材個別領域２１ａ〜２１ｉとの貼着力よりも弱いものとなっている。
【００２８】
この状態から、情報カード１の利用者によって、上基材個別領域１１ｄ〜１１ｆのうち上基材個別領域１１ｄ，１１ｆが擦られることにより、中基材３０の分離領域３１ｄ，３１ｆに対して上基材１０と下基材２０との積層方向に上基材１０を介して圧力が加えられると、上基材１０の中基材３０との積層面に塗工された接着剤４１ａと、中基材３０の上基材１０との積層面に塗工された接着剤４１ｂとが、自己接着機能を有する自着糊からなるものであることにより、上基材個別領域１１ｄ，１１ｆと分離領域３１ｄ，３１ｆとがこの接着剤４１ａ，４１ｂによって剥離可能に貼着された状態となる（図３（ｂ））。この際、接着剤４１ａ，４１ｂによる上基材個別領域１１ｄ，１１ｆと分離領域３１ｄ，３１ｆとの貼着力は、粘着剤４２の点糊状の塗布による下基材個別領域２１ｄ，１１ｆと分離領域３１ｄ，３１ｆとの貼着力よりも強くなる。すなわち、中基材３０の分離領域３１ｄ，３１ｆに対して上基材１０と下基材２０との積層方向に上基材１０を介して圧力が加えられる前と、中基材３０の分離領域３１ｄ，３１ｆに対して上基材１０と下基材２０との積層方向に上基材１０を介して圧力が加えられた後とで、上基材個別領域１１ｄ，１１ｆと分離領域３１ｄ，３１ｆとの貼着力と、下基材個別領域２１ｄ，１１ｆと分離領域３１ｄ，３１ｆとの貼着力との強弱が逆転する。
【００２９】
それにより、その後、上基材１０と下基材２０とを剥離すると、分離領域３１ｄ，３１ｆにおいては、接着剤４１ａ，４１ｂによって上基材１０に貼着されたまま中基材３０から分離し、下基材２０から剥離していく。一方、分離領域３１ｅにおいては、上基材１０と下基材２０との積層方向に上基材１０を介して圧力が加えられていないことにより上基材１０と貼着されていないため、中基材３０から分離せずに下基材２０に貼着されたままの状態となる（図３（ｃ））。
【００３０】
これにより、下基材２０の上基材１０との積層面においては、分離領域３１ｄ，３１ｆ上の印刷層３４ｄ，３４ｆによる情報３２ｄ，３２ｆは表出せず、下基材２０上の印刷層２３ｄ，２３ｆによる情報２２ｄ，２２ｆが表出する。また、分離領域３１ｅ上の印刷層３４ｅによる情報３２ｅが表出し、下基材２０上の印刷層２３ｅによる情報２２ｅは表出しない。
【００３１】
このように、情報カード１の利用者が、上基材個別領域１１ａ〜１１ｉのうち所望の領域を擦ることで、中基材３０の分離領域３１ａ〜３１ｉに対して上基材１０と下基材２０との積層方向に上基材１０を介して圧力を加えた後、上基材１０と下基材２０とが剥離される。すると、上基材個別領域１１ａ〜１１ｉのうち擦られた領域においては、対向する下基材個別領域２１ａ〜２１ｉに表示された情報２２ａ〜２２ｉが表出し、擦られない領域においては、対向する分離領域３１ａ〜３１ｉに表示された情報３２ａ〜３２ｉが表出することになる。
【００３２】
図４は、図１及び図２に示した情報カード１において上基材１０と下基材２０とが剥離された状態を示す図である。なお、図中スリットの図示は省略してある。
【００３３】
図１及び図２に示した情報カード１は、上基材個別領域１１ａ〜１１ｉのうち解答を示す数字が表示された上基材個別領域を利用者に擦らせることにより、解答カードとして利用することができる。
【００３４】
正解が“２４６”である場合、図１及び図２に示したように、上基材個別領域１１ａ〜１１ｉのうち“２”，“４”，“６”が表示された上基材個別領域１１ｂ，１１ｄ，１１ｆに対向する下基材個別領域２１ｂ，２１ｄ，２１ｆに表示する情報２２ｂ，２２ｄ，２２ｆと、それ以外の上基材個別領域１１ａ，１１ｃ，１１ｅ，１１ｇ〜１１ｉに対向する分離領域３１ａ，３１ｃ，３１ｅ，３１ｇ〜３１ｉに表示する情報３２ａ，３２ｃ，３２ｅ，３２ｇ〜３２ｉとによって、正解である旨を示す“あなたはあたりです”という文章が表現されるようにする。
【００３５】
それにより、上基材個別領域１１ａ〜１１ｉのうち、正解である“２”，“４”，“６”が表示された上基材個別領域１１ｂ，１１ｄ，１１ｆが利用者によって擦られた場合、図４（ａ）に示すように、下基材個別領域２１ｂ，２１ｄ，２１ｆに表示された情報２２ｂ，２２ｄ，２２ｆと、分離領域３１ａ，３１ｃ，３１ｅ，３１ｇ〜３１ｉに表示された情報３２ａ，３２ｃ，３２ｅ，３２ｇ〜３２ｉとによって、正解である旨を示す“あなたはあたりです”という文章が視認されることになる。なお、接着剤４１ａ，４１ｂ及び粘着剤４２は、中基材３０や下基材２０に表示された情報を視認可能とする程度の透明度を有している。
【００３６】
また、上基材個別領域１１ａ〜１１ｉのうち、正解ではない“４”，“７”，“９”が表示された上基材個別領域１１ｄ，１１ｇ，１１ｉが利用者によって擦られた場合、図４（ｂ）に示すように、下基材個別領域２１ｄ，２１ｇ，２１ｉに表示された情報２２ｄ，２２ｇ，２２ｉと、分離領域３１ａ〜３１ｃ，３１ｅ，３１ｆ，３１ｈに表示された情報３２ａ〜３２ｃ，３２ｅ，３２ｆ，３２ｈとを組み合わせても、正解である旨を示す“あなたはあたりです”という文章は視認されない。
【００３７】
なお、本形態においては、上基材個別領域１１ａ〜１１ｉのうち解答を示す数字が表示された上基材個別領域を利用者に擦らせることにより、情報カード１を解答カードとして利用しているが、誕生日や会員番号の数字が表示された上基材個別領域を利用者に擦らせたり、電子メールで通知されたパスワードを構成する数字が表示された上基材個別領域を利用者に擦らせたりすることにより、利用者へ通知すべき情報を視認させるものとしても情報カード１を利用することができる。
【００３８】
このように本形態においては、中基材３０に分離可能に区画形成された分離領域３１ａ〜３１ｉが、上基材個別領域１１ａ〜１１ｉを介して圧力が加わる前に上基材１０と下基材２０とが剥離された場合、中基材３０から分離せずに下基材２０に貼着されたままとなり、また、上基材個別領域１１ａ〜１１ｉを介して圧力が加えられた後に上基材１０と下基材２０とが剥離された場合、中基材３０から分離して下基材２０から剥離する保持構造を有している。それにより、上基材個別領域１１ａ〜１１ｉのそれぞれについて、擦られた後に上基材１０と下基材２０とが剥離された場合と、擦られずに上基材１０と下基材２０とが剥離された場合とで、上基材個別領域１１ａ〜１１ｉに対向する領域にて視認可能となる情報が変わることとなり、それにより、利用者の取り扱いに応じて情報を選択的に視認させることができる。またその際、上記保持構造が、中基材３０の分離領域３１ａ〜３１ｉに対して上基材１０と下基材２０との積層方向に上基材１０を介して圧力が加えられる前と、中基材３０の分離領域３１ａ〜３１ｉに対して上基材１０と下基材２０との積層方向に上基材１０を介して圧力が加えられた後とで、上基材個別領域１１ａ〜１１ｉと分離領域３１ａ〜３１ｉとの貼着力と、下基材個別領域２１ａ〜２１ｉと分離領域３１ａ〜３１ｉとの貼着力との強弱が逆転する貼着構造であることから、分離領域３１ａ〜３１ｉが、スリット３３ａ〜３３ｉによって中基材３０から分離可能に構成されているものの、上基材１０と下基材２０とが剥離される前の状態にて中基材３０から脱落してしまうことを回避できる。
【００３９】
（第２の実施の形態）
図５は、本発明の情報担持体の第２の実施の形態を示す図であり、（ａ）は表面図、（ｂ）は（ａ）に示したＡ−Ａ’断面図、（ｃ）は中基材１３０の表面の構成を示す図、（ｄ）は下基材１２０の表面の構成を示す図である。
【００４０】
本形態は図５に示すように、図１に示したものに対して、分離領域１３１ａ〜１３１ｉ及びそれに対向する下基材個別領域１２１ａ〜１２１ｉについて、情報がいずれか一方にしか表示されていない点と、分離領域１３１ａ〜１３１ｉが、粘着剤１４２及び剥離剤１５０によって下基材１２０に剥離可能に貼着されている点が異なるものである。
【００４１】
本形態における情報カード１０１においても、図１に示したものと同様に、中基材１３０に分離可能に区画形成された分離領域１３１ａ〜１３１ｉが、上基材個別領域１１１ａ〜１１１ｉを介して圧力が加わる前に上基材１１０と下基材１２０とが剥離された場合、中基材１３０から分離せずに下基材１２０に貼着されたままとなり、また、上基材個別領域１１１ａ〜１１１ｉを介して圧力が加えられた後に上基材１１０と下基材１２０とが剥離された場合、中基材１３０から分離して下基材１２０から剥離することになる。そして、分離領域１３１ａ〜１３１ｉと下基材個別領域１２１ａ〜１２１ｉのいずれか一方が表出する。
【００４２】
図６は、図５に示した情報カード１０１において上基材１１０と下基材１２０とが剥離された状態を示す図である。なお、図中スリットの図示は省略してある。
【００４３】
図５に示した情報カード１０１は、上基材個別領域１１１ａ〜１１１ｉのうち任意の上基材個別領域を利用者に擦らせることにより、くじとして利用することができる。
【００４４】
図５に示した情報カード１０１においては、分離領域１３１ａ〜１３１ｉのうち、分離領域１３１ａ，１３１ｂ，１３１ｅ，１３１ｇ，１３１ｉにのみ星形の情報１３２ａ，１３２ｂ，１３２ｅ，１３２ｇ，１３２ｉが表示されており、その他の分離領域１３１ｃ，１３１ｄ，１３１ｆ，１３１ｈには情報は表示されていない。一方、下基材個別領域１２１ａ〜１２１ｉのうち、下基材個別領域１２１ｃ，１２１ｄ，１２１ｆ，１２１ｈにのみ星形の情報１２２ｃ，１２２ｄ，１２２ｆ，１２２ｈが表示されており、その他の下基材個別領域１２１ａ，１２１ｂ，１２１ｅ，１２１ｇ，１２１ｉには情報が表示されていない。
【００４５】
そのため、情報が表示されていない分離領域１３１ｃ，１３１ｄ，１３１ｆ，１３１ｈに対向する上基材個別領域１１１ｃ，１１１ｄ，１１１ｆ，１１１ｈを擦った後に上基材１１０と下基材１２０とを剥離すると、分離領域１３１ｃ，１３１ｄ，１３１ｆ，１３１ｈが中基材１３０から分離して下基材１２０から剥離するとともに、その他の分離領域１３１ａ，１３１ｂ，１３１ｅ，１３１ｇ，１３１ｉは中基材１３０から分離せずに下基材１２０に貼着されたままとなることで、図６（ａ）に示すように、上基材個別領域１１１ｃ，１１１ｄ，１１１ｆ，１１１ｈに対向する領域においては、下基材個別領域１２１ｃ，１２１ｄ，１２１ｆ，１２１ｈに表示された星形の情報１２２ｃ，１２２ｄ，１２２ｆ，１２２ｈが視認可能となり、他の上基材個別領域１１１ａ，１１１ｂ，１１１ｅ，１１１ｇ，１１１ｉに対向する領域においては、分離領域１３１ａ，１３１ｂ，１３１ｅ，１３１ｇ，１３１ｉに表示された星形の情報１３２ａ，１３２ｂ，１３２ｅ，１３２ｇ，１３２ｉが視認可能となり、上基材個別領域１１１ａ〜１１１ｉの全てに対向する領域にて星形の情報が視認可能となる。
【００４６】
一方、情報が表示されている分離領域１３１ｂ，１３１ｇに対向する上基材個別領域１１１ｂ，１１１ｇを擦ったり、情報が表示されていない分離領域１３１ｃ，１３１ｄ，１３１ｈに対向する上基材個別領域１１１ｃ，１１１ｄ，１１１ｈを擦らずに上基材１１０と下基材１２０とを剥離すると、図６（ｂ）に示すように、上基材個別領域１１１ｂ，１１１ｃ，１１１ｇ，１１１ｈに対向する領域には星形の情報が現れない。
【００４７】
これにより、上基材個別領域１１１ａ〜１１１ｉの全てに対向する領域にて星形の情報が視認可能となった場合に、当たりとすること等が考えられる。
【００４８】
（第３の実施の形態）
図７は、本発明の情報担持体の第３の実施の形態を示す図であり、（ａ）は表面図、（ｂ）は（ａ）に示したＡ−Ａ’断面図、（ｃ）は中基材２３０の表面の構成を示す図、（ｄ）は下基材２２０の表面の構成を示す図である。
【００４９】
本形態は図７に示すように、図１に示したものに対して、分離領域２３１ａ〜２３１ｉが発泡インキ２５０によって下基材２２０に剥離可能に貼着されている点が異なるものである。
【００５０】
本形態の情報カード２０１においても、図１に示したものと同様に利用される。本形態の情報カード２０１においては、上基材個別領域２１１ａ〜２１１ｉが擦られることによって分離領域２３１ａ〜２３１ｉに対して上基材２１０と下基材２２０との積層方向に圧力が加わると、発泡インキ２５０が凝集破壊されてその貼着力が弱まる。それにより、擦られた上基材個別領域２１１ａ〜２１１ｉに対向する分離領域２３１ａ〜２３１ｉが下基材２２０から剥離しやすくなる。
【００５１】
（第４の実施の形態）
図８は、本発明の情報担持体の第４の実施の形態を示す図であり、（ａ）は表面図、（ｂ）は（ａ）に示したＡ−Ａ’断面図、（ｃ）は中基材３３０の表面の構成を示す図、（ｄ）は下基材３２０の表面の構成を示す図である。
【００５２】
本形態は図８に示すように、図１に示したものに対して、分離領域３３１ａ〜３３１ｉが、マイクロカプセル３５０を含有する粘着剤３４２によって下基材３２０に剥離可能に貼着されている点が異なるものである。
【００５３】
本形態の情報カード３０１においても、図１に示したものと同様に利用される。本形態の情報カード３０１においては、上基材個別領域３１１ａ〜３１１ｉが擦られることによって分離領域３３１ａ〜３３１ｉに対して上基材３１０と下基材３２０との積層方向に圧力が加わると、マイクロカプセル３５０が破壊されて粘着剤３４２の貼着力が弱まる。それにより、擦られた上基材個別領域３１１ａ〜３１１ｉに対向する分離領域３３１ａ〜３３１ｉが下基材２２０から剥離しやすくなる。
【００５４】
（第５の実施の形態）
図９は、本発明の情報担持体の第５の実施の形態を示す図であり、（ａ）は表面図、（ｂ）は（ａ）に示したＡ−Ａ’断面図、（ｃ）は中基材４３０の表面の構成を示す図、（ｄ）は下基材４２０の表面の構成を示す図である。
【００５５】
本形態は図９に示すように、図１に示したものに対して、分離領域４３１ａ〜４３１ｉが、スリット４３３ａ〜４３３ｉ及びタイ４３４ａ〜４３４ｉによって中基材４３０から分離可能に区画形成されているとともに、下基材４２０に貼着されていない点が異なるものである。
【００５６】
本形態の情報カード４０１においても、図１に示したものと同様に利用される。本形態の情報カード４０１においては、上基材４１０と下基材４２０との積層方向に上基材４１０を介して圧力が加わらなかった分離領域４３１ａ〜４３１ｉは、上基材４１０と貼着されていない状態であるため、上基材４１０と下基材４２０とが剥離した場合に分離領域４３１ａ〜４３１ｉが下基材４２０に保持される保持力が、分離領域４３１ａ〜４３１ｉが上基材４１０に保持される保持力よりも強く、それにより、上基材４１０と下基材４２０とが剥離されても、中基材４３０から分離せずに下基材４２０に保持されたままとなる。一方、上基材４１０と下基材４２０との積層方向に上基材４１０を介して圧力が加えられた分離領域４３１ａ〜４３１ｉは、接着剤４４１ａ，４４１ｂによって上基材４１０と貼着された状態となるため、上基材４１０と下基材４２０とが剥離されると、上基材４１０と下基材４２０とが剥離した場合に分離領域４３１ａ〜４３１ｉがタイ４３４ａ〜４３４ｉ及び粘着剤４４２によって下基材４２０に保持される保持力が、分離領域４３１ａ〜４３１ｉが接着剤４４１ａ，４４１ｂによって上基材４１０に保持される保持力よりも弱くなり、それにより、タイ４３４ａ〜４３４ｉが破断し、中基材４３０から分離して下基材４２０から離間していく。
【００５７】
それにより、図１に示したものと同様に、上基材個別領域４１１ａ〜４１１ｉのうち擦られた領域においては、対向する下基材個別領域４２１ａ〜４２１ｉに表示された情報４２２ａ〜４２２ｉが表出し、擦られない領域においては、対向する分離領域４３１ａ〜４３１ｉに表示された情報４３２ａ〜４３２ｉが表出することになる。
【００５８】
（第６の実施の形態）
図１０は、本発明の情報担持体の第６の実施の形態を示す図であり、（ａ）は表面図、（ｂ）は（ａ）に示したＡ−Ａ’断面図、（ｃ）は中基材５３０の表面の構成を示す図、（ｄ）は下基材５２０の表面の構成を示す図である。
【００５９】
本形態は図１０に示すように、図１に示したものに対して、下基材５２０の中基材５３０との積層面の全面に、貼着後の剥離が可能な接着剤５５０が塗工されており、この接着剤５５０によって中基材５３０と下基材５２０とが剥離可能に貼着されている点が異なるものである。接着剤５５０の貼着力は、接着剤５４１ａ，５４１ｂが貼着された場合における貼着力よりも弱いものとなっている。
【００６０】
以下に、上記のように構成された情報カード５０１における上基材５１０と下基材５２０との剥離時の状態について説明する。
【００６１】
図１１は、図１０に示した情報カード５０１における上基材５１０と下基材５２０との剥離時の状態を説明するための図であり、上基材個別領域５１１ｄ〜５１１ｆのうち上基材個別領域５１１ｄ，５１１ｆが擦られた後に上基材５１０と下基材５２０とが剥離されていく状態を示す断面図である。
【００６２】
図１０に示した情報カード５０１は、図１に示したものと同様に、利用者によって利用される前の状態においては、中基材５３０と上基材５１０とは、分離領域５３１ａ〜５３１ｉと上基材個別領域５１１ａ〜５１１ｉとが貼着されていない（図１１（ａ））。一方、分離領域５３１ａ〜５３１ｉと下基材個別領域５２１ａ〜５２１ｉとは、下基材５２０に塗工された接着剤５５０によって剥離可能に貼着されている。それにより、この情報カード１が利用者によって利用される前、すなわち、中基材５３０の分離領域５３１ａ〜５３１ｉに対して上基材５１０と下基材５２０との積層方向に上基材５１０を介して圧力が加えられる前の状態においては、分離領域５３１ａ〜５３１ｉと上基材個別領域５１１ａ〜５１１ｉとの貼着力が、分離領域５３１ａ〜５３１ｉと下基材個別領域５２１ａ〜５２１ｉとの貼着力よりも弱いものとなっている。
【００６３】
この状態から、情報カード５０１の利用者によって、上基材個別領域５１１ｄ〜５１１ｆのうち上基材個別領域５１１ｄ，５１１ｆが擦られることにより、中基材５３０の分離領域５３１ｄ，５３１ｆに対して上基材５１０と下基材５２０との積層方向に上基材５１０を介して圧力が加えられると、上基材５１０の中基材５３０との積層面に塗工された接着剤５４１ａと、中基材５３０の上基材５１０との積層面に塗工された接着剤５４１ｂとが、自己接着機能を有する自着糊からなるものであることにより、上基材個別領域５１１ｄ，５１１ｆと中基材５３０の分離領域５３１ｄ，５３１ｆとがこの接着剤５４１ａ，５４１ｂによって剥離可能に貼着された状態となる（図１１（ｂ））。この際、接着剤５４１ａ，５４１ｂによる上基材個別領域５１１ｄ，５１１ｆと分離領域５３１ｄ，５３１ｆとの貼着力は、接着剤５５０による下基材個別領域５２１ｄ，５２１ｆと分離領域５３１ｄ，５３１ｆとの貼着力よりも強くなる。すなわち、中基材５３０の分離領域５３１ｄ，５３１ｆに対して上基材５１０と下基材５２０との積層方向に上基材５１０を介して圧力が加えられる前と、中基材５３０の分離領域５３１ｄ，５３１ｆに対して上基材５１０と下基材５２０との積層方向に上基材５１０を介して圧力が加えられた後とで、上基材個別領域５１１ｄ，５１１ｆと分離領域５３１ｄ，５３１ｆとの貼着力と、下基材個別領域５２１ｄ，５１１ｆと分離領域５３１ｄ，５３１ｆとの貼着力との強弱が逆転する。
【００６４】
それにより、その後、上基材５１０と下基材５２０とを剥離すると、分離領域５３１ｄ，５３１ｆにおいては、接着剤５４１ａ，５４１ｂによって上基材５１０に貼着されたまま下基材５２０から剥離していく。この際、上述したように、接着剤５５０の貼着力が、接着剤５４１ａ，５４１ｂが貼着された場合における貼着力よりも弱いものであることから、中基材５３０の分離領域５３１ａ〜５３１ｉ以外の領域も、接着剤５４１ａ，５４１ｂによって上基材５１０に貼着されたまま下基材５２０から剥離していく。すなわち、図１に示したものにおいては、上基材１０と下基材２０との積層方向に上基材１０を介して圧力が加えられた分離領域は、その後、上基材１０と下基材２０とを剥離していくと、中基材３０の他の領域から分離して下基材２０から剥離していくが、図１０に示したものにおいては、上基材５１０と下基材５２０との積層方向に上基材５１０を介して圧力が加えられた分離領域は、その後、上基材５１０と下基材５２０とを剥離していくと、中基材５３０の他の領域から分離せずに他の領域とともに下基材５２０から剥離していくこととなる。
【００６５】
一方、分離領域５３１ｅにおいては、上基材５１０と下基材５２０との積層方向に上基材５１０を介して圧力が加えられていないことにより上基材５１０と貼着されていないため、中基材５３０から分離して下基材５２０に貼着されたままとなる（図１１（ｃ））。すなわち、図１に示したものにおいては、上基材１０と下基材２０との積層方向に上基材１０を介して圧力が加えられていない分離領域は、その後、上基材１０と下基材２０とを剥離していくと、中基材３０の他の領域から分離せずに下基材２０に貼着されたままとなるが、図１０に示したものにおいては、上基材５１０と下基材５２０との積層方向に上基材５１０を介して圧力が加えられた分離領域は、その後、上基材５１０と下基材５２０とを剥離していくと、中基材５３０の他の領域から分離して下基材５２０に貼着されたままの状態となる。
【００６６】
このようにして、情報カード５０１の利用者が、上基材個別領域５１１ａ〜５１１ｉのうち所望の領域を擦ることで、中基材５３０の分離領域５３１ａ〜５３１ｉに対して上基材５１０と下基材５２０との積層方向に上基材５１０を介して圧力を加えた後、上基材５１０と下基材５２０とが剥離される。すると、上基材個別領域５１１ａ〜５１１ｉのうち擦られた領域においては、対向する下基材個別領域５２１ａ〜５２１ｉに表示された情報５２２ａ〜５２２ｉが表出し、擦られない領域においては、対向する分離領域５３１ａ〜５３１ｉに表示された情報５３２ａ〜５３２ｉが表出することになる。
【００６７】
（第７の実施の形態）
図１２は、本発明の情報担持体の第７の実施の形態を示す図であり、（ａ）は表面図、（ｂ）は（ａ）に示したＡ−Ａ’断面図、（ｃ）は上基材６１０の裏面の構成を示す図、（ｄ）は中基材６３０の裏面の構成を示す図である。
【００６８】
本形態は図１２に示すように、図１に示したものに対して、中基材６３０に１つの分離領域６１１しか設けられていないとともに、上基材６１０にもそれに対応した１つの上基材個別領域６１１しか設けられておらず、また、分離領域６３１の上基材６１０との積層面に情報６３２が表示されることにより印刷層６３３が積層され、上基材６１０の中基材６３０との積層面に、その一部が情報６３２と重なるように情報６１２が印刷されることにより印刷層６１３が積層されている点が異なるものである。
【００６９】
以下に、上記のように構成された情報カード６０１における上基材６１０と下基材６２０との剥離時の状態について説明する。
【００７０】
図１３は、図１２に示した情報カード６０１における上基材６１０と下基材６２０との剥離時の状態を説明するための図である。
【００７１】
図１２に示した情報カード６０１は、図１に示したものと同様に、利用者によって利用される前の状態においては、中基材６３０と上基材６１０とは、分離領域６３１と上基材個別領域６１１とが貼着されていない。一方、分離領域６３１と下基材６２０とは、下基材６２０に粘着剤６４２が点糊状に塗工されていることにより剥離可能に貼着されている。それにより、この情報カード６０１が利用者によって利用される前、すなわち、中基材６３０の分離領域６３１に対して上基材６１０と下基材６２０との積層方向に上基材６１０を介して圧力が加えられる前の状態においては、分離領域６３１と上基材個別領域６１１との貼着力が、分離領域６３１と下基材６２０との貼着力よりも弱いものとなっている。
【００７２】
また、中基材６３０の分離領域６３１以外の領域は、接着剤６４１ａ，６４１ｂによって上基材６１０と剥離可能に貼着されているとともに、粘着剤６４２によって下基材６２０と剥離困難に貼着されている。
【００７３】
そのため、この状態から上基材個別領域６１１が擦られることなく上基材６１０と下基材６２０とが剥離されると、中基材６３０の分離領域６３１以外の領域が、下基材６２０に貼着されたまま上基材６１０から剥離される。一方、中基材６３０の分離領域６３１においても、中基材６３０から分離せずに下基材６２０に貼着されたまま上基材６１０から剥離される（図１３（ａ））。
【００７４】
それにより、上基材６１０の裏面には、印刷層６１３による情報６１２が表出し、視認可能となる（図１３（ｂ））。
【００７５】
一方、情報カード６０１の利用者によって、上基材個別領域６１１が擦られることにより、中基材６３０の分離領域６３１に対して上基材６１０と下基材６２０との積層方向に上基材６１０を介して圧力が加えられると、上基材６１０の中基材６３０との積層面に塗工された接着剤６４１ａと、中基材６３０の上基材６１０との積層面に塗工された接着剤６４１ｂとが、自己接着機能を有する自着糊からなるものであることにより、上基材個別領域６１１と中基材６３０の分離領域６３１とがこの接着剤６４１ａ，６４１ｂによって剥離可能に貼着された状態となる。この際、接着剤６４１ａ，６４１ｂによる上基材個別領域６１１と分離領域６３１との貼着力は、粘着剤６４２の点糊状の塗布による下基材６２０と分離領域６３１との貼着力よりも強くなる。すなわち、本形態においても、中基材６３０の分離領域６３１に対して上基材６１０と下基材６２０との積層方向に上基材６１０を介して圧力が加えられる前と、中基材６３０の分離領域６３１に対して上基材６１０と下基材６２０との積層方向に上基材６１０を介して圧力が加えられた後とで、上基材個別領域６１１と分離領域６３１との貼着力と、下基材６２０と分離領域６３１との貼着力との強弱が逆転する。
【００７６】
それにより、その後、上基材６１０と下基材６２０とを剥離すると、分離領域６３１が、接着剤６４１ａ，６４１ｂによって上基材６１０に貼着されたまま中基材６３０から分離して下基材６２０から剥離していく。一方、中基材６３０の分離領域６３１以外の領域は、下基材６２０に貼着されたまま上基材６１０から剥離される（図１３（ｃ））。
【００７７】
これにより、下基材６２０の上基材６１０との積層面においては、分離領域６３１の印刷層６３３による情報６３２が表出し、上基材６１０の裏面に表出した情報６１２の一部がこの情報６３２によって覆われて新たな情報が視認可能となる（図１３（ｄ））。
【００７８】
このように、上基材個別領域６１１を擦った後に上基材６１０と下基材６２０とを剥離した場合に、上基材個別領域６１１を擦らずに上基材６１０と下基材６２０とを剥離した際に上基材６１０の剥離面にて表出した情報を利用した新たな情報を視認可能とすることができ、利用者の取り扱いに応じて、視認される情報の印象を変えることができる。
【００７９】
なお、上述した実施の形態においては、上基材個別領域を擦る前の状態では分離領域と上基材とが貼着されていないが、上基材個別領域を擦る前の状態における分離領域と上基材との貼着力が、その状態における分離領域と下基材との貼着力よりも弱ければ、上基材個別領域を擦る前の状態において分離領域と上基材とが貼着されていてもよい。すなわち、本発明では、上基材個別領域を擦る前の状態において分離領域と上基材とが貼着されていない状態についても、分離領域と下基材とが貼着されていれば、上基材個別領域を擦る前の状態における分離領域と上基材との貼着力が、その状態における分離領域と下基材との貼着力よりも弱いものと定義する。
【００８０】
また、中基材の分離領域に対して上基材と下基材との積層方向に加わる圧力は、上基材個別領域を擦ることで上基材を介してではなく、下基材個別領域を擦る等して下基材を介してであってもよい。
【００８１】
また、情報は、上基材及び下基材の分離領域に対向する領域、並びに分離領域の上基材または下基材との積層面のうち、少なくともいずれか１つに表示されていれば、分離領域に対して上基材と下基材との積層方向に上基材や下基材を介して圧力が加わる前に上基材と下基材とを剥離した場合と、分離領域に対して上基材と下基材との積層方向に上基材や下基材を介して圧力が加わった後に上基材と下基材とを剥離した場合とで、利用者が視認可能となる情報が変化したり、情報が視認できたりできなかったりすることで、利用者の取り扱いに応じて情報を選択的に視認させることができる。
【符号の説明】
【００８２】
１，１０１，２０１，３０１，４０１，５０１，６０１    情報カード
１０，１１０，２１０，３１０，４１０，５１０，６１０    上基材
１１ａ〜１１ｉ，１１１ａ〜１１１ｉ，２１１ａ〜２１１ｉ，３１１ａ〜３１１ｉ，４１１ａ〜４１１ｉ，５１１ａ〜５１１ｉ，６１１    上基材個別領域
２０，１２０，２２０，３２０，４２０，５２０，６２０    下基材
２１ａ〜２１ｉ，１２１ａ〜１２１ｉ，２２１ａ〜２２１ｉ，３２１ａ〜３２１ｉ，４２１ａ〜４２１ｉ，５２１ａ〜５２１ｉ    下基材個別領域
２２ａ〜２２ｉ，３２ａ〜３２ｉ，１２２ｃ，１２２ｄ，１２２ｆ，１２２ｈ，１３２ａ，１３２ｂ，１３２ｅ，１３２ｇ，１３２ｉ，２２２ａ〜２２２ｉ，２３２ａ〜２３２ｉ，３２２ａ〜３２２ｉ，３３２ａ〜３３２ｉ，４２２ａ〜４２２ｉ，４３２ａ〜４３２ｉ，５２２ａ〜５２２ｉ，５３２ａ〜５３２ｉ，６１２，６３２    情報
２３ｄ〜２３ｆ，３４ｄ〜３４ｆ，１２３ｄ，１２３ｆ，１３４ｅ，２２３ｄ〜２２３ｆ，２３４ｄ〜２３４ｆ，３２３ｄ〜３２３ｆ，３３４ｄ〜３３４ｆ，４２３ｄ〜４２３ｆ，４３４ｄ〜４３４ｆ，５２３ｄ〜５２３ｆ，５３４ｄ〜５３４ｆ，６１３，６２３    印刷層
３０，１３０，２３０，３３０，４３０，５３０，６３０    中基材
３１ａ〜３１ｉ，１３１ａ〜１３１ｉ，２３１ａ〜２３１ｉ，２３１ａ〜２３１ｉ，３３１ａ〜３３１ｉ，４３１ａ〜４３１ｉ，５３１ａ〜５３１ｉ，６３１    分離領域
３３ａ〜３３ｉ，１３３ａ〜１３３ｉ，２３３ａ〜２３３ｉ，３３３ａ〜３３３ｉ，４３３ａ〜４３３ｉ，５３３ａ〜５３３ｉ    スリット
４１ａ，４１ｂ，１４１ａ，１４１ｂ，２４１ａ，２４１ｂ，３４１ａ，３４１ｂ，４４１ａ，４４１ｂ，５４１ａ，５４１ｂ，５５０，６４１ａ，６４１ｂ    接着剤
４２，１４２，２４２，３４２，４４２，６４２    粘着剤
１５０    剥離剤
２５０    発泡インキ
３５０    マイクロカプセル
４３４ａ〜４３４ｉ    タイ
【図１】
0006448401.tif 000002
【図２】
0006448401.tif 000003
【図３】
0006448401.tif 000004
【図４】
0006448401.tif 000005
【図５】
0006448401.tif 000006
【図６】
0006448401.tif 000007
【図７】
0006448401.tif 000008
【図８】
0006448401.tif 000009
【図９】
0006448401.tif 000010
【図１０】
0006448401.tif 000011
【図１１】
0006448401.tif 000012
【図１２】
0006448401.tif 000013
【図１３】
0006448401.tif 000014